(57)【特許請求の範囲】
【請求項１】
磁気ストライプ（６２）を読取る磁気読取りヘッド（２８）と集積回路カード（６０）上の端子（６４）を読取る集積回路インターフェース（４２）を備えるカードリーダ（１０）であって、
前記インターフェース（４２）は、
可動キャリヤ（４０）に取り付けられ、前記カードリーダ内に挿入されたカード（６０）のカード端子（６４）と接触する一方で、前記カード（６０）の移動と共に前記磁気読取りヘッド（２８）に対して移動することを特徴とするカードリーダ（１０）。
【請求項２】
前記キャリヤ（４０）は、カードリーダ（１０）の入口に向かって付勢されて、挿入されたカード（６０）の挿入の開始時に前記インターフェース（４２）と係合する請求項１に記載のカードリーダ（１０）。
【請求項３】
前記キャリヤ（４０）は、前記磁気読取りヘッド（２８）よりも前記入口の近くに付勢されている請求項２に記載のカードリーダ（１０）。
【請求項４】
前記インターフェース（４２）は、前記キャリヤ（４０）に旋回自在に取り付けられている請求項１乃至３の何れか一項に記載のカードリーダ（１０）。
【請求項５】
前記カードリーダの入口の上側縁部に、前記インターフェース（４２）の旋回をガイドするガイド部（８４）を設け、前記集積回路カード（６０）の先導辺が挿入されると、前記ガイド部（８４）に沿って前記インターフェース（４２）が前記カード（６０）上の前記端子（６４）と接触するように降下される請求項４に記載のカードリーダ（１０）。
【請求項６】
前記カードリーダ（１０）は、挿入されたカードを当該カードリーダ内にロックするシャッター（３０）を備える、請求項１乃至５の何れか一項に記載のカードリーダ（１０）。
【請求項７】
前記シャッター（３０）は、弾性部材（３６）を介して前記カードリーダ（１０）のハウジング（１６）内に弾性的に取り付けられている請求項６に記載のカードリーダ（１０）。
【請求項８】
請求項１乃至７の何れか一項に記載のカードリーダを組み入れているセルフサービス端末機。
【発明の詳細な説明】
【０００１】
本発明はカードリーダに関し、特に手動挿入型のハイブリッドディップカードリーダ（ｈｙｂｒｉｄ  ｄｉｐ  ｃａｒｄ  ｒｅａｄｅｒ）に関する。
【０００２】
【従来の技術】
ハイブリッドカードリーダは、磁気ストライプカード、スマートカード（集積回路カードとしても呼称される）、並びに、結合型の磁気ストライプ及びスマートカードを読取ることができるカードリーダである。磁気ストライプを読取るために、ストライプは磁気読取りヘッドに対して移動しなければないが、導電性端子を有するスマートカードを読取るためには、それらカード端子は該スマートカードを読取るための端子と整合させ、接触させ、そして接触を維持しなければならない。
【０００３】
ディップカードリーダはカードを自動的に移送する任意の移送機構を有することはないが（モータ付きカードリーダ／ライター・モジュールとは異なる）、ディップリーダは挿入されたカードを受け取って支持する（スワイプカードリーダとは異なる）。ディップリーダを用いるために、ユーザは自信のカードを、典型的にはその短辺を最初に、手動で挿入してから、手動でそのカードを取り除かなければならない。
【０００４】
ハイブリッドディップカードリーダは、典型的には、ハウジングを備え、該ハウジングがそれ自体から延出するガイド部を有している。ガイド部は略Ｕ形状であり、カードの両長辺を受け取るための凹部を画成し、そして磁気読取りヘッドを含む。ハウジングは、挿入されたカードの先導辺によって降下させられる旋回読取り／書込みスマートカード端子を含み、カードが完全に挿入されると、その読取り／書込み端子がそのカード上のカード端子と整合し接触することになる。
【０００５】
ハイブリッドディップカードリーダは現金自動入出機（ＡＴＭ）等の装置に用いられ、そこでユーザは、取引を行うべく、磁気ストライプカード、スマートカード、或は、結合型の磁気ストライプ及びスマートカードを挿入し得る。
【０００６】
もし磁気カードが使用されれば、取引を開始すべく、ユーザは典型的にはそのカードを挿入してから直ちに取り除く。しかしながら結合型の磁気ストライプ及びスマートカードが使用されれば、ディップリーダはピン・シャッターを用いてそのカードを該リーダ内にロックする。
【０００７】
そうしたハイブリッドディップリーダの１つの短所は、ユーザのカードが旋回端子と係合すると、その旋回端子を移動すべく必要とされる力によってカードは速度を落とす。カードの速度に関するこの変化は、カード上の磁気ストライプを磁気読取りヘッドによって正確に読取る可能性を低減する。この理由のため、幾つかの用途において磁気ストライプカードは、挿入よりもむしろ取り除き（又は除去）に及んで読取られる。
【０００８】
そうした構成の別の短所は、ユーザはカードの挿入及び除去をしなければならないのか、或は、カードの挿入及び然るべき位置への置き去りをしなければならいのかが分からない場合がある。もしユーザがカードを挿入してそれを直ちに引き出そうと試みるが、ディップリーダがそのカードをロックしていれば、不愉快で気に障る感覚を経験し得て、それはカード及び／或はカードリーダを害する場合がある。これはカードリーダの利用性を低減し得ると共に、ユーザがカードリーダを再び使用しようとすることに水をさす虞がある。
【０００９】
【発明が解決しようとする課題】
本発明に係る実施例の目的の１つは、カードリーダに関連された上述の短所或は他の短所の内の１つ或はそれ以上を回避又は軽減することである。
【００１０】
【課題を解決しようとする手段】
本発明の第１局面に従えば、磁気ストライプを読取る磁気読取りヘッド、及び、集積回路カード上の端子を読取る集積回路インターフェースを備えるカードリーダが提供され、前記インターフェースが、可動キャリヤに取り付けられて、前記カード端子と結合される一方で前記磁気読取りヘッドに対して移動することを特徴としている。
【００１１】
本発明のこの局面の理由によって、前記カードリーダのインターフェースは、前記カードが挿入されて前記磁気読取りヘッドに対して移動する間に該カードからデータを読取ることができる。
【００１２】
もし前記インターフェースが挿入順序の開始時に前記カードと結合されれば、そのカードを完全に挿入するために必要とされる力に関する変化は何等ない。必要とされる力の変化が何等ないので、カードが一定の速度で挿入される可能性は増大される。これは、前記磁気読取りヘッドが磁気ストライプを正確に読取る可能性を増大する。またこれは、カードが完全に挿入された後ではなくむしろカードが完全に挿入される前に、該カードが任意の端子を有するかを前記カードリーダに判定させることを可能としている。
【００１３】
好ましくは、前記キャリヤは前記カードリーダの入口に向かって付勢されて、挿入カードは挿入の開始時に前記インターフェースと係合する。好適実施例において、前記キャリヤは前記磁気読取りヘッドよりも前記入口の近くに付勢されて、前記インターフェースが前記カード上の磁気ストライプが前記磁気読取りヘッド上を通過する前に前記カード端子と接触する。
【００１４】
好ましくは、前記インターフェースは前記キャリヤ上に旋回自在に取り付けられている。好ましくは、前記インターフェースは前記カードリーダの表面と協働して、集積回路カードの先導辺が挿入されと、前記インターフェースは前記カード上の端子と接触するように降下させられる。
【００１５】
好ましくは、前記カードリーダは、挿入カードを当該カードリーダ内にロックするシャッターを含む。
【００１６】
好ましくは、前記シャッターは前記カードリーダに弾性的に取り付けられて、当該シャッターが捕捉されているカードの何等かの移動を可能としている。これは、前記シャッターによってロックされたカードを取り除こうと試みるユーザの不快な影響を回避するので、改善されたユーザインターフェースを提供している。
【００１７】
本発明の第２局面に従えば、本発明の第１局面に従ったカードリーダを組み入れているセルフサービス端末機（ＳＳＴ）が提供される。
【００１８】
ＳＳＴは現金自動入出機（ＡＴＭ）であり得る。代替的には、ＳＳＴは小売り店頭（ＰＯＳ）端末機であり得る。
【００１９】
本発明のこれらの局面やその他の局面は、添付図面を参照して、例示として付与されている以下の特定の記載から明らかとなるであろう。
【００２０】
【発明の実施の形態】
図１乃至図３で参照されるように、本発明の一実施例に従った手動挿入型のハイブリッドディップカードリーダ１０が示されている。このカードリーダ１０はハウジング部１６から延出するガイド部１４を覆うベゼル１２を備える。
【００２１】
ベゼル１２は、ガイド部１４内のＬＥＤ（不図示）と整列する透明カバー２０を含む。
【００２２】
ガイド部１４は２つのアーム２２，２４を有し、これらアーム２２，２４の各々が、ベゼル１２及びガイド部１４を通って、カードリーダ・ハウジング部１６内のカード・チャンバー２７内へ挿入されるカードをガイドするため、ベゼル１２内の連続スロット２６の部分と整列するスロットを画成している。
【００２３】
アーム２２はアーム２４よりも狭く、挿入及び除去の間にカードをガイドするだけの役割を果たす。しかしながらアーム２４はアーム２２よりも幅広く、カード上の磁気ストライプを読取る磁気読取りヘッド２８と、カードをリーダ１０内にロックするピン・シャッター３０と、そのピン・シャッター３０を起動するソレノイド３２と、カードの存在を検知するカードセンサ３４とを含む。ソレノイド３２はコイルバネ形態の弾性部材３６によってハウジング部１６に取り付けられている。
【００２４】
アーム２４は、スマートカード上の端子を読取る集積回路（スマートカード）インターフェース４２を有する手動的に起動される可動キャリヤ４０をも含む。エンクロジャー４３内を移動するキャリヤ４０は以下により詳細に説明される。
【００２５】
ハウジング部１６は、図４に図示されている、カードリーダ１０の動作を制御するコントローラ５０を組み入れている。コントローラ５０は、シャッター機構（ピン・シャッター３０及びソレノイド３２を含む）、磁気読取りヘッド２８、スマートカード・インターフェース４２、並びに、カードセンサ３４と結合された上に、通信インターフェース５２と結合されている。
【００２６】
また図４は、ハイブリッドカード６０であって、磁気ストライプ６２と、当該カード６０のその磁気ストライプ６２とは反対側に配置された集積回路端子６４とを有するハイブリッドカード６０をも図示している。
【００２７】
可動キャリヤ４０は、カード６０がカード・エンクロジャー４３内に配置されたキャリヤ４０と係合している状態の簡略化された概略線図である図５（ａ）及び図５（ｂ）を参照してこれから説明される。
【００２８】
キャリヤ４０はシャーシ７２に旋回自在に取り付けられたスマートカード・インターフェース４２を備える。このインターフェース４２は読取り端子４４を含み、そしてシャーシ７２は、トラック（不図示）内に配置された２つのローラ７４を含んで、キャリヤ４０をエンクロジャー４３の入口端部７６から該エンクロジャー４３の反対端（停止）部７８まで平滑に移動させることができる。
【００２９】
キャリヤ４０は軽量コイルバネ形態の弾性部材８０によってエンクロジャー４３と結合され、該キャリヤ４０を入口端部７６へ付勢して、該キャリヤ４０の一部をその入口端部７６を通して突出させてカードと係合する。コイルバネ８０は非常に小さな力だけをキャリヤ４０に作用して、カード６０が挿入或は除去される際、そのバネ８０によって付与される力をユーザは気付かない。
【００３０】
エンクロジャー４３は旋回可能なインターフェース４２と協働するリップ８４を画成する上方面８２を含んで、キャリヤが停止端部７８に向かって移動すると、そのインターフェース４２は読取り端子４４がカード６０上の端子６４と接触するまで下方へ付勢される。
【００３１】
図５（ｂ）は、カード６０がエンクロジャー４３内に完全に挿入された際の当該カード６０を図示している。
【００３２】
カード・インターフェース４２はカードが停止端部７８に到達する前にカード端子６４と接触するので、コントローラ５０はカード６０が任意の端子６４を含むかを判定できると共に、この情報をカードリーダ１０の制御を為すアプリケーションへ伝達することができる。よって、もしこのカードリーダがスマートカードを所持するカード所持者に追加的なサービスを申し出るＡＴＭ内に使用されると、そのＡＴＭはカードが完全に挿入される前に追加的なサービスを申し出るべきか否かを判定できる。
【００３３】
もしカード６０がスマートカードであれば、カードリーダ１０はソレノイド３２を介してシャッター３０を起動して、取引が完了されるまでカード６０がユーザによって除去されないことを保証する。カードが挿入されるとそのカードがスマートカードであることを判定することによって、カードリーダ１０は挿入順序の完了前にシャッター３０を起動することができる。
【００３４】
もしユーザがシャッター３０の起動後にカード６０を除去しようと試みれば、比較的強力な力を付勢するコイルバネ３６のためにユーザはそのカードを除去しようと試みる際に制動された抵抗を感ずることになる。
【００３５】
磁気読取りヘッド２８を可動キャリヤ４０の後方に配置することによって、カード６０上の磁気ストライプが磁気読取りヘッド２８上を通過する前に、キャリヤ４０に旋回自在に取り付けられた集積回路インターフェース４２は該カード６０上の端子と係合することを理解して頂けるであろう。
【００３６】
様々な変更が本発明の範囲内である上述の実施例に為され得る、例えば他の実施例において、可動キャリヤは先に記載されたものとは異なる機構を用いて搬送され得て、例えば、スライディング機構が回転機構の代わりに使用され得る。理解して頂けるように、カードリーダはカードのリーダ及びライターであり得る。
【図面の簡単な説明】
【図１】  本発明の一実施例に従ったカードリーダの概略斜視図である。
【図２】  図１のカードリーダの概略正面図である。
【図３】  図１のカードリーダの概略平面図である。
【図４】  カードとインターフェース接続する図１のカードリーダのブロック線図である。
【図５】  （ａ）は、部分的に挿入されているカードを有する図１のカードリーダ部分の概略断面図であり、（ｂ）は、完全に挿入されているカードを有する図１のカードリーダ部分の概略断面図である。
【符号の説明】
１０    カードリーダ
１２    ベゼル
１４    ガイド部
１６    ハウジング部
２２，２４    アーム
２６    スロット
２８    読取りヘッド
３０    ピン・シャッター
３２    ソレノイド
３４    カードセンサ
３６，８０    弾性部材
４０    可動キャリヤ
４２    集積回路インターフェース
４３    エンクロジャー
４４    読取り端子
５０    コントローラ
６０    ハイブリッドカード
６２    磁気ストライプ
６４    集積回路端子
７２    シャーシ
７６    入口端部
７８    停止端部
【図１】
0004176373.tif 000002
【図２】
0004176373.tif 000003
【図３】
0004176373.tif 000004
【図４】
0004176373.tif 000005
【図５】
0004176373.tif 000006